(57)【要約】【課題】  予め設定した仮想の第三者からアリバイを提供され、利用者が希望する時間に、仮想の場所に赴く必要性を作り出すことにより、その場を外す口実を作ることのできるアリバイ通知サービスシステムを提供する。【解決手段】  利用者１３の携帯電話機１４と、携帯電話機１４との間で情報の送受を行う通信部とウェブページ提供部とアリバイ通知サービス管理サーバとから成るアリバイ通知サービスサイト１２と、携帯電話機とアリバイ通知サービスサイトを接続する通信系１６とから成る。利用者の携帯電話機によるアクセスに基づき、入手したアリバイ通知サービスに係るウェブページ上で行われる利用者によるサービス提供を受ける登録手続操作とサービス提供条件の設定操作とに従って、アリバイ通知サービスサイトは、アリバイ通知サービス管理サーバにより、サービス提供条件が満たされるときにアリバイ通知サービスを携帯電話機に対して行う。【選択図】      図１
2005284613.tif 000002
【特許請求の範囲】
【請求項１】
利用者のインターネット対応の携帯電話機と、
前記利用者の前記携帯電話機との間で情報の送受を行う通信手段と、アリバイ通知サービスに係るウェブページを提供するウェブページ提供手段と、アリバイ通知サービス管理サーバとから成るアリバイ通知サービスサイトと、
前記携帯電話機と前記アリバイ通知サービスサイトを接続する通信系とから成り、
前記利用者の前記携帯電話機によるアクセスに基づき、入手した前記アリバイ通知サービスに係るウェブページ上で行われる前記利用者によるサービス提供を受ける登録手続操作とサービス提供条件の設定操作とに従って、前記アリバイ通知サービスサイトは、前記アリバイ通知サービス管理サーバにより、前記サービス提供条件が満たされるときにアリバイ通知サービスを前記携帯電話機に対して行うことを特徴とするアリバイ通知サービスシステム。
【請求項２】
前記アリバイ通知サービスは、前記利用者に関して仮想的に作られたアリバイを知らせる電子メールの送信であることを特徴とする請求項１記載のアリバイ通知サービスシステム。
【請求項３】
前記アリバイ通知サービスは、前記通信系に含まれる電話回線を経由して送られる、前記利用者の関係者からの仮想的に作られた事情に基づく電話コールであることを特徴とする請求項１記載のアリバイ通知サービスシステム。
【請求項４】
利用者の電話機との間で情報の送受を行う通信手段と、電子メール送受信手段と、音声発信手段とを含むコンピュータ装置を有し、
前記コンピュータ装置は、さらに、
前記利用者が先に前記電話機を介して提供した予約の設定条件を記憶する記憶手段と、
前記設定条件が満たされたとき、前記電子メール送受信手段による電子メールの発信または前記音声発信手段による音声の発信を指示する発信指示手段とを備え、
前記設定条件が満たされたとき、前記利用者の前記電話機に対して自動的に前記電子メールまたは前記音声の発信を行うことを特徴とする予約対応自動発信システム。
【請求項５】
予約の前記設定条件は、前記利用者が前記電話機で受信する前記電子メールまたは前記音声の発信を行う時刻であることを特徴とする請求項４記載の予約対応自動発信システム。
【請求項６】
前記電子メールまたは前記音声は、前記利用者に対する利用者行動予定を定める通知内容を含むことを特徴とする請求項４または５記載の予約対応自動発信システム。
【請求項７】
前記利用者に係る情報を登録する利用者登録手段を有し、この利用者登録手段に登録された利用者自身が行った予約に対応して前記電子メールまたは前記音声の自動発信を行うことを特徴とする請求項４または５記載の予約対応自動発信システム。
【発明の詳細な説明】
【技術分野】
【０００１】
本発明は、アリバイ通知サービスシステムと予約対応自動電話発信システムに関し、インターネットに対応した電話回線に接続されたコンピュータ装置を利用して成るアリバイ通知サービスシステム、および当該サービスシステムの構築を可能にする予約設定が可能な自動電話発信機能を備えたシステムに関する。
【背景技術】
【０００２】
従来のアリバイ情報作成用の手段として特許文献１と特許文献２に開示される技術がある。特許文献１ではアリバイ機能付き電話機が開示され、特許文献２では背景音録音再生機能付き携帯電話機が開示される。
【０００３】
特許文献１によるアリバイ機能付き電話機は、背景音の再生速度を変化させることにより、再生音の周波数を元の音声と変え、多種類の音声を背景音として合成するように構成されている。
【０００４】
特許文献２による携帯電話機は、アリバイ用の背景音を録音する機能を備え、予め録音された任意の背景音を通話中に再生しながら通話を行うことができる。これにより、通話相手に対して利用者の所在地を録音音声によって仮想の場所に設定することを可能としている。
【０００５】
また従来では、一般的に、退席する口実を作りたい場合、友人や両親に電話をかけるよう依頼を行う方法も取られている。
【特許文献１】特開平９−３２６８４６号公報
【特許文献２】特開２００１−２５７７４５号公報
【発明の開示】
【発明が解決しようとする課題】
【０００６】
本発明の課題は次の通りである。上記のように、電話機を利用したアリバイ工作を友人や両親に依頼を行う場合、依頼を受けた者が時間を忘れ、依頼者に対し電話をかけることを忘れたりすることがある。また依頼した相手に対してお礼をすることを考慮しなければならないという問題もある。従って、特定のサービスによって、決まった時間に確実に電話または電子メールを受けることができ、かつ第三者の手を煩わさずに済むシステムが提供されれば便利である。また上記特許文献１，２に開示されている従来技術では、通話中の相手に対してはアリバイ工作を行えるが、同席している相手に対してはアリバイ工作できない。
【０００７】
本発明の目的は、上記の課題に鑑み、予め設定した仮想の第三者からアリバイを提供され、利用者が希望する時間に、仮想の場所に赴く必要性を作り出すことにより、その場を外す口実を作ることのできるアリバイ通知サービスシステムを提供することにある。
【０００８】
本発明の他の目的は、さらに、上記のアリバイ通知サービスシステム等の実現を可能にする予約手続に対応して予約条件に応じて必要な情報を所要の電話機に対し送信することができる予約対応自動電話発信システムを提供することにある。
【課題を解決するための手段】
【０００９】
本発明に係るアリバイ通知サービスシステムと予約対応自動電話発信システムは、上記の目的を達成するため、次のように構成される。
【００１０】
第１のアリバイ通知サービスシステム（請求項１に対応）は、利用者のインターネット対応の携帯電話機と、利用者の携帯電話機との間で情報の送受を行う通信手段、アリバイ通知サービスに係るウェブページを提供するウェブページ提供手段、およびアリバイ通知サービス管理サーバから成るアリバイ通知サービスサイトと、携帯電話機とアリバイ通知サービスサイトを接続する通信系とから構成される。この構成において、さらに、利用者の携帯電話機によるアクセスに基づき、入手したアリバイ通知サービスに係るウェブページ上で行われる利用者によるサービス提供を受ける登録手続操作とサービス提供条件の設定操作とに従って、アリバイ通知サービスサイトは、アリバイ通知サービス管理サーバにより、サービス提供条件が満たされるときにアリバイ通知サービスを携帯電話機に対して行うように構成される。
【００１１】
第２のアリバイ通知サービスシステム（請求項２に対応）は、上記の構成において、好ましくは、アリバイ通知サービスは、利用者に関して仮想的に作られたアリバイを知らせる電子メールの送信であることを特徴づけられる。
【００１２】
第３のアリバイ通知サービスシステム（請求項３に対応）は、上記の構成において、好ましくは、アリバイ通知サービスは、通信系に含まれる電話回線を経由して送られる、利用者の関係者からの仮想的に作られた事情に基づく電話コールであることで特徴づけられる。
【００１３】
第１の予約対応自動発信システム（請求項４に対応）は、利用者の電話機との間で情報の送受を行う通信手段と、電子メール送受信手段と、音声発信手段とを含むコンピュータ装置を有し、コンピュータ装置は、さらに、利用者が先に電話機を介して提供した予約の設定条件を記憶する記憶手段と、設定条件が満たされたとき、電子メール送受信手段による電子メールの発信または音声発信手段による音声の発信を指示する発信指示手段とを備え、設定条件が満たされたとき、利用者の電話機に対して自動的に電子メールまたは音声の発信を行うように構成される。
【００１４】
第２の予約対応自動発信システム（請求項５に対応）は、上記の第１の構成において、好ましくは、予約の設定条件は、利用者が電話機で受信する電子メールまたは音声の発信を行う時刻であることを特徴とする。
【００１５】
第３の予約対応自動発信システム（請求項６に対応）は、上記の構成において、好ましくは、電子メールまたは音声は、利用者に対する利用者行動予定を定める通知内容を含むことで特徴づけられる。
【００１６】
第３の予約対応自動発信システム（請求項７に対応）は、上記の各構成において、好ましくは、利用者に係る情報を登録する利用者登録手段を有し、この利用者登録手段に登録された利用者自身が行った予約に対応して電子メールまたは音声の自動発信を行うことで特徴づけられる。
【発明の効果】
【００１７】
本発明によれば次の効果を奏する。利用者が希望する条件のアリバイ工作用の電子メールまたは音声電話通信を受け取れる構成としたので、利用者は電子メールの受信等によって、その場で希望する内容の通信を受け取ることができる。また登録手続きを介するので、第三者による悪意から生じる問題を回避することができる。本発明によれば、利用者は、仮想的に作られたアリバイを電子メール等にて受信することができ、同席中の相手に対してアリバイを示すことができる。また本発明では、コンピュータ装置により、設定条件を満たされたとき電子メールまたは音声の発信を自動的に行うことができ、アリバイ通知サービスシステム等のサービスに利用することができる。
【発明を実施するための最良の形態】
【００１８】
以下に、本発明の好適な実施形態（実施例）を添付図面に基づいて説明する。
【００１９】
図１は、本発明に係るアリバイ通知サービスシステムと予約自動発信システムの代表的な実施形態の概略的なシステム構成を示す。アリバイ通知サービスシステムすなわちアリバイネット１１は、予約自動発信システムを備えたコンピュータ装置によって実現されるアリバイ通知サービスサイト１２を構築することにより、構成される。アリバイネット１１は、多数の利用者（ユーザ）１３によって利用される。利用者１３は、自身の所有する携帯電話機１４を使用して、アリバイ通知サービスサイト１２に所要のアクセスおよび手続きをとることにより、以下に述べるアリバイネット１１のサービスを受けることになる。携帯電話機１４はインターネット対応の携帯電話機である。利用者１３は、携帯電話機１４を操作し、インターネット１５を経由してアリバイ通知サービスサイト１２にアクセスし、必要な情報を受ける。携帯電話機１４とアリバイ通知サービスサイト１２との間での通信系１６は、キャリアサーバ１７ａから成るキャリア１７の部分と、上記インターネット１５と通話用の電話回線１９から成る通信ルート１９の部分とから構成されている。
【００２０】
図２は、アリバイ通知サービスサイト１２の内部構成と、このアリバイ通知サービスサイト１２とサービスの提供を受ける利用者１３との間で携帯電話機１４を介して送受される情報の内容２１とを示している。
【００２１】
アリバイ通知サービスサイト１２は、所要の文字情報（ウェブページ）２２を用意するウェブサイト２３と、アリバイ通知サービス管理サーバ２４と、データを保存するメモリ２５とを備える。文字情報２２は、携帯電話機１４の表示部１４ａに、サービス内容の説明画面、登録・条件設定画面、サービス提供受付け画面等を表示させる機能を有する。アリバイ通知サービス管理サーバ２４は、利用者１３によって提供された特定情報や条件情報を管理し、かつ条件を満たすようにサービスを提供する管理機能を有する。
【００２２】
利用者１３とアリバイ通知サービスサイト１２との間で送受される情報の内容２１は、第１に利用者１３からアリバイ通知サービスサイト１２への携帯電話機１４によるアクセス２１Ａ、第２にウェブサイト２３から携帯電話機１４へのトップページダウンロード２１Ｂ、第３に利用者１３による条件・登録の情報の送信２１Ｃ、第４にサービス提供２１Ｄである。さらにサービス提供２１Ｄの内容を大きく分けると、「アリバイメール」、「アリバイコール」、「アリバイ着声」、「アリバイフォト」の４つのサービス内容が含まれる。これらのサービス内容については後で詳細に説明する。
【００２３】
図３は、アリバイ通知サービス管理サーバ２４の概略構成を示す。アリバイ通知サービス管理サーバ２４は、管理システム３１によって全体の機能が管理される。管理システム３１は、日付機能付き時計３２、各地の風景を格納する電子写真ファイル３３、発信する電子メールの定型文章を格納する定型電子メール文章ファイル３４、電話発信する定型音声を格納する定型音声メッセ−ジファイル３５、登録ユーザ（利用者）の情報を格納する登録ユーザファイル３６、利用者毎の利用料金を集計する課金ファイル３７、ユーザ（利用者）登録手段であるユーザ登録システム３８、予約された電子メールの一時保管を行う予約電子メールファイル３９、および予約された音声メッセージの一時保管を行う予約音声メッセージファイル４０を備える。また管理システム３１は、通信装置４１を介して、データ通信、電子メール通信、音声電話の通信を、前述の利用者１３の各携帯電話機１４との間で行う構成となっている。
【００２４】
次に、図４〜図８を参照して、アリバイ通知サービスサイト１２によって提供される前述した「アリバイメール」と「アリバイコール」と「アリバイ着声」と「アリバイフォト」の４つのサービス内容について説明する。
【００２５】
図４はアリバイメールのプロセスを示すイメージ図である。図４において、上段は受信予約４０１のプロセスを示し、後段はアリバイメールの自動送信のプロセス４０２を示す。このアリバイメールの受信予約４０１によれば、利用者１３は携帯電話機１４を用い、パケット網４１とキャリアのサーバ４２とインターネット１５を介してアリバイネットのサーバ２４とデータ通信を行う。このデータ通信で、利用者１３は、サービスを受けるための登録を行うと共に、アリバイメールに係る電子メールの発信条件４２を設定する。その後、アリバイメールの自動送信４０２によれば、サーバ２４は、利用者１３の設定した条件４２を満たしたときに、利用者１３の携帯電話機１４の専用アドレスに対してアリバイ情報を提供する電子メール４３すなわちアリバイメール４３をインターネット１５、キャリアのサーバ１７ａ、パケット網４１を介して送信する。詳細についてはフローチャートを用いて後述する。
【００２６】
図５はアリバイコールのプロセスを示すイメージ図である。図５において、上段は受信予約着信５０１のプロセスを示し、後段はアリバイコールの自動着信（電話呼出し）のプロセス５０２を示す。このアリバイコールの着信予約５０１によれば、利用者１３は携帯電話機１４を用い、パケット網４１とキャリアのサーバ４２とインターネット１５を介してアリバイネットのサーバ２４とデータ通信を行う。このデータ通信で、利用者１３は、サービスを受けるための登録を行うと共に、アリバイコールに係る電話呼出しの発信条件４２を設定する。その後、アリバイコールの自動発信５０２によれば、サーバ２４は、利用者１３の設定した条件４２を満たしたときに、利用者１３の携帯電話機１４に対して電話呼出し４４すなわちアリバイコール４４を電話回線１８、キャリアの交換機４５を介して送る。詳細についてはフローチャートを用いて後述する。
【００２７】
図６はアリバイ着声のプロセスを示すイメージ図である。アリバイ着声では、ダウンロード６０１のプロセスが行われる。すなわち、利用者１３は、携帯電話機１４を用い、パケット網４１とキャリアのサーバ４２とインターネット１５を介してアリバイネットのサーバ２４とデータ通信を行い、サーバ２４から携帯電話機１４にアリバイ着声４６をダウンロードして、このアリバイ着声を着信音として設定する。
【００２８】
図７および図８はアリバイフォトのプロセスを示すイメージ図である。アリバイフォトのプロセスの構成は基本的に図４で説明したアリバイメールの場合と同じである。図７および図８において、図５で説明した要素と実質的に同じ要素には同じ符号を付し、説明を省略する。図７では、利用者１３は、データ通信を通して、電子写真（アリバイフォト）４７の発信条件を設定し、サーバ２４は利用者１３の設定した条件を満たした電子写真４７を利用者１３の携帯電話機１４へ送信する。利用者１３は着信した電子写真４７を保存し、再生することにより、仮想のアリバイを第三者に示すことが可能となる。図８では、基本的なプロセス構成は前述のアリバイメール等と同じであり、特徴的な点は、前述したアリバイメール４３とアリバイフォト４７がセットで所定条件下で送信されるプロセスとなっている。
【００２９】
図９は、アリバイ通知サービスサイト１２によるサービス提供を受けた場合の、携帯電話機１４の表示画面１４ａにおけるアリバイメール４３の表示例４８とアリバイフォト４７の表示例４９とを示している。
【００３０】
次に、図１０〜図１２を参照して本発明に係るアリバイ通知サービスサイト１２の利用シーンを説明する。図１０はアリバイメールの利用シーン、図１１はアリバイコールの利用シーン、図１２はアリバイネットの利用シーンをそれぞれ示している。
【００３１】
図１０に示したアリバイメールの利用シーンとして、利用者として２０代の独身女性５１を例にとり、勤務先の上司である部長５２に対し仮想的なアリバイを提示する場合の例を示す。
【００３２】
部長５２から、利用者５１に対し明日の夜飲みに行く誘いがあった。この誘いに対し利用者は断りたいが、上司からの誘いであり、むげに断ることができない。この場合、利用者５１は携帯電話機１４を用いアリバイネット１１のウェブサイト２３にアクセスし、アリバイメールの設定・予約を行う。この場合、登録していることが条件である。実施例での予約設定は、発信者は利用者５１の妹、発信時刻は翌日の１６：００、アリバイメール４３の文章は「妹が体調不良のため利用者に看病を依頼する」という内容が選択され、設定される。この時、利用者５１は、翌々日に妹より看病のお礼を通知するといった、アリバイの内容に対するフォローを意図した内容の電子メールである、アリバイフォローメール５３を同時に設定・予約することも可能である。実施例での予約設定は、発信者は利用者５１の妹、発信時刻は翌々日の１２：３０、メールの文章は利用者の看病に対するお礼を示す内容、が選択され設定される。
【００３３】
翌日の１６：００にアリバイ通知サービスサイト１２は予約されたアリバイメール４３を、利用者５１に対し送信する。利用者５１の携帯電話機１４にアリバイメール４３が着信されるので、利用者５１は部長５２に対し着信されたメールを見せることにより、利用者５１の妹が利用者５１に対し看病をお願いしている、という仮想の事情を示すことができる。このように飲みに行く誘いを断る仮想的な理由を示すことが可能になる。
【００３４】
翌々日の１２：３０にアリバイ通知サービスサイト１２は予約されたアリバイフォローメール５３を、利用者５１に対し送信する。利用者５１の携帯電話機にアリバイフォローメール５３が着信されるので、利用者５１は部長５２に対し着信されたメールを見せることにより、利用者５１の妹が利用者５１に対し看病に対するお礼を述べている、という仮想の事実を作ることができる。このように飲みに行く誘いを断った理由が止むを得なかったという仮想の事情を示すことが可能になる。
【００３５】
次に図１１に示したアリバイコールの利用シーンとして、利用者は大学生である女性の例にとり、コンパに出席しかつ中座して帰宅したい場合に、参加者に対し仮想的なアリバイを提示する場合を例を示している。
【００３６】
利用者５３は携帯電話機１４を用いアリバイネット１１のウェブサイト２３にアクセスし、アリバイコールの設定・予約を行う。実施例での予約設定は、発信者は利用者５３の父親、発信時刻は１０分後、電話の音声は、父親が帰宅を促す内容が選択され、設定される。１０分後にアリバイ通知サービスサイト１２は予約されたアリバイコールを、利用者に対し音声電話にて発信する。利用者５３の携帯電話機１４に音声による電話が着信されるので、利用者５３は同席者５４の前で電話に応答することにより、中座、退席しなければならない理由を同席者に対し、間接的に示すことが可能になる。
【００３７】
上記のごとくアリバイメールとアリバイコールの例について説明したが、それ以外で想定される利用シーンでは、図１２に示すように、利用者１３がアリバイを提示する相手として親、会社、仕事取引先、友人、配偶者、交際者がある。
【００３８】
次に、フローチャート（図１３Ａ〜図１４Ｄ）とアリバイ通知サービスサイトの構成（図１５）と携帯電話機での表示画面の各種表示内容（図１６〜図２４）を参照して、アリバイネット１１によるサービス等の手順を説明する。
【００３９】
フローチャートに関して図１３Ａと図１３Ｂは会員登録の手順を示し、図１４Ａはアリバイ・アリバイコールログインの手順を示し、図１４Ｂはアリバイメールの手順を示し、図１４Ｃと図１４Ｄはアリバイコールの手順を示す。図１３Ａと図１３Ｂは一連の流れを分けて示し、図１４Ａ〜図１４Ｄも一連の流れを示す。ただし図１４Ｃと図１４Ｄのそれぞれは別々に図１４Ａおよび図１４Ｂの後に続くものである。また図１５はアリバイ通知サービスサイト１２の内部構成の主機能部分を示す。図１６〜図２４は携帯電話機での表示画面の各種の内容を示す。以下のフローチャートの各ステップの説明に関して、ステップに対応して、図１５に示すアリバイ通知サービスサイト１２の機能部分、および関連する表示画面を指摘する。
【００４０】
なお、利用者１３の携帯電話機１４からの発信はアリバイ通知サービスサイト１２を宛先とし、アリバイ通知サービスサイト１２からの発信は利用者１３の携帯電話機１４を宛先とする。
【００４１】
悪意のいたずらを防止するため、本発明に係るアリバイ通知サービスサイト１２では、サービスを利用できる利用者１３は予め登録を行った会員に限定される。このため、利用者は会員登録を行う必要がある。
【００４２】
最初に利用者１３による登録手続を図１３Ａおよび図１３Ｂのフローチャートに基づき説明する。利用者１３が、アリバイネット１１すなわちアリバイ通知サービスサイト１２によるサービスの提供を受けることができるためには、アリバイネット１１に登録しておくことが前提条件である。
【００４３】
登録手続の手順を順次に説明する。情報のやり取り（通信）は、利用者１３の操作に基づく携帯電話機１４と、アリバイネット１１のアリバイ通知サービスサイト１２との間において行われる。
【００４４】
利用者１３は携帯電話機１４を用いてアリバイ通知サービスサイト１２にアクセスする（ステップＳＴ２０１）。アリバイ通知サービス管理サーバ２４（以下「サーバ２４」という）を備えるアリバイ通知サービスサイト１２（以下「サイト１２」という）はアクセスを確認し（ステップＳＴ２０２）、ＴＯＰメニュー画面（図１６に示す画面Ｍ１０１）を送信する（ステップＳＴ２０３）。利用者１３の携帯電話機１４の表示画面１４ａ（以下「携帯画面１４ａ］と記す）にＴＯＰメニュー画面（Ｍ１０１）が表示される（ステップＳＴ２０４，ＳＴ２０５）。
【００４５】
利用者１３は携帯画面１４ａの画面Ｍ１０１から「→会員登録」を選択する（ステップＳＴ２０６，ＳＴ２０７）。サイト１２は利用者１３による選択を確認し（ステップＳＴ２０８）、規約画面（図１７に示す画面Ｍ１０２）を送信し（ステップＳＴ２０９）、携帯画面１４ａに規約画面（Ｍ１０２）が表示される（ステップＳＴ２１０，ＳＴ２１１）。利用者１３は規約の内容を読み、内容に同意する場合は携帯画面１４ａの規約画面Ｍ１０２）の同意を選択する（ステップＳＴ２１２，ＳＴ２１３）。サイト１２は同意を確認できた場合（ステップＳＴ２１４）、アドレス入力画面（図１７に示す画面Ｍ１０３）を送信する（ステップＳＴ２１５）。携帯画面１４ａにアドレス入力画面（Ｍ１０３）が表示され（ステップＳＴ２１６，ＳＴ２１７）、利用者１３は携帯画面１４ａのアドレス入力画面（Ｍ１０３）の該当欄に自分の携帯電話機１４における電子メールアドレスを入力し（ステップＳＴ２１８）、「ＯＫ」を選択する（ステップＳＴ２１９）。サイト１２は利用者１３の電子メールアドレスを認識した場合（ステップＳＴ２２０）、会員登録準備の終了を通知するメニュー画面（図１７に示す画面Ｍ１０４）を送信する（ステップＳＴ２２１）。携帯画面１４ａにメニュー画面Ｍ１０４が表示され（ステップＳＴ２２２，ＳＴ２２３）、アクセスに基づく接続状態は一旦打ち切られる（ステップＳＴ２２４）。
【００４６】
次にサイト１２は、受け付けた電子メールアドレスに、会員登録専用のサイトアドレスが記載された電子メール（図１７に示す画面Ｍ１０５）を送信する（ステップＳＴ２２５）。利用者１３の携帯電話機１４の携帯画面１４ａに会員登録の専用アドレスが表示されるので（ステップＳＴ２２６，ＳＴ２２７）、利用者１３は携帯電話機１４を用い専用アドレスにアクセスを行う（ステップＳＴ２２８）。サイト１２は利用者１３からのアクセスを確認した場合（ステップＳＴ２２９）、会員登録画面（図１７に示す画面Ｍ１０６）を送信する（ステップＳＴ２３０）。携帯画面１４ａに会員登録画面Ｍ１０６が表示される（ステップＳＴ２３１，ＳＴ２３２）。利用者１３は会員登録画面Ｍ１０６に必要な項目を入力し（ステップＳＴ２３３）、「内容確認」を選択する（ステップＳＴ２３４）。
【００４７】
サイト１２は入力された内容を認識し（ステップＳＴ２３５）、この内容を反映させた会員登録内容確認画面（図１７に示す画面Ｍ１０７）を送信する（ステップＳＴ２３６）。携帯画面１４ａに会員登録内容が表示され（ステップＳＴ２３７，ＳＴ２３８）、利用者は内容を確認し、正しい場合には「ＯＫ」を選択する（ステップＳＴ２３９，ＳＴ２４０）。サイト１２は入力された会員登録の内容を認識し（ステップＳＴ２４１）、この内容に基づき利用者１３を会員として登録し、必要な項目を上記データ２５内の上記登録ユーザ３６のファイルに格納する（ステップＳＴ２４２）。また同時に会員登録が完了したことを通知する画面（図１７に示す画面Ｍ１０８）を送信する（ステップＳＴ２４３）。携帯画面１４ａに完了の通知が表示され（ステップＳＴ２４４，２４５）、会員登録が完了する（ステップＳＴ２４６，ＳＴ２４７）。
【００４８】
アリバイネット１１の会員登録をすませた利用者１３に対するアリバイネット１１でのサービス提供の実施形態について図１４Ａ〜図１４Ｄのフローチャートに従って説明する。サービスを受ける利用者１３は、利用者１３を認識するためのログインの手続を行う必要がある。
【００４９】
利用者１３は携帯電話機１４を用いてアリバイネット１１にアクセスする（ステップＳＴ３０１）、サイト１２はアクセスを確認し（ステップＳＴ３０２）、アクセスを受けた利用者１３の携帯電話機１４に対しＴＯＰメニュー画面（Ｍ１０１）を送信する（ステップＳＴ３０３）、携帯画面１４ａにＴＯＰメニュー画面Ｍ１０１が表示される（ステップＳＴ３０４，ＳＴ３０５）。利用者１３は携帯画面１４ａから「→ログイン」を選択する（ステップＳＴ３０６，ＳＴ３０７）。
【００５０】
サイト１２は選択内容を認識し（ステップＳＴ３０８）、アリバイネット／ログイン画面（図１８に示す画面Ｍ１１１）を送信する（ステップＳＴ３０９）。携帯画面１４ａにアリバイネット／ログイン画面Ｍ１１１が表示され（ステップＳＴ３１０，ＳＴ３１１）、利用者１３は入力項目、ＩＤ、パスワードを入力し（ステップＳＴ３１２）、「ログイン」を選択する（ステップＳＴ３１３）。サイト１２は入力内容を認識し（ステップＳＴ３１４）、会員登録ファイルのデータを基にＩＤ、パスワードの確認を行う（ステップＳＴ３１５）。正しければ、アリバイネットメニュー画面（図１９に示す画面Ｍ１２１）を送信する（ステップＳＴ３１６）。携帯画面１４ａにアリバイネットメニュー画面（Ｍ１２１）が表示される（ステップＳＴ３１７，３１８）。利用者１３は画面Ｍ１２１の表示に従って、希望するメニューを選択し（ステップＳＴ３１９）、「実行」を選択する（ステップＳＴ３２０）。
【００５１】
サイト１２は、利用者１３が選択を行った項目を認識し（ステップＳＴ３２１）、ＴＯＰメニュー画面を、利用者１３が選択した項目に該当するサービスを行うファイルよりロードし（ステップＳＴ３２２）、送信する（ステップＳＴ３２３）。先ず、ステップＳＴ３１９にて「アリバイメール」が選択され、利用者１３がアリバイメールのサービスを受けるプロセスについて図１４Ｂのフローチャートを用いて説明する。
【００５２】
携帯画面１４ａにアリバイメールＴＯＰ画面（図２０に示す画面Ｍ１３１）が表示される（ステップＳＴ４０１，ＳＴ４０２）、利用者１３は「新規予約作成」を選択する（ステップＳＴ４０３，ＳＴ４０４）。サイト１２はアリバイメール／新規予約作成画面（図２１に示す画面Ｍ１４１）を送信する（ステップＳＴ４０５，ＳＴ４０６）。携帯画面１４ａにアリバイメール／新規予約作成画面（Ｍ１４１）が表示され（ステップＳＴ４０７，４０８）、利用者１３は入力項目、送信者設定、送信予約日時、（メール）タイトル、（メール）本文を入力し（ステップＳＴ４０９）、「内容確認」を選択する（ステップＳＴ４１０）。
【００５３】
サイト１２は入力された内容を認識し（ステップＳＴ４１１，ＳＴ４１２）、この内容を反映させたアリバイメール／内容確認画面（図２１に示す画面Ｍ１４２）を送信する（ステップＳＴ４１３）。携帯画面１４ａにアリバイメール／内容確認画面（Ｍ１４２）が表示され（ステップＳＴ４１４，ＳＴ４１５）、利用者１３は内容を確認し、間違いがなければ「ＯＫ」を選択し、間違いを認識した場合は「→戻る」を選択する（ステップＳＴ４１６，ＳＴ４１７）。サイト１２は利用者１３の選択を認識し（ステップＳＴ４１８）、「→戻る」が選択された場合、サイト１２はステップＳＴ４０６に戻り、アリバイメール／新規予約作成画面（Ｍ１４１）を再送信する。「ＯＫ」が選択された場合にはサイト１２はアリバイメール／作成完了画面（図２１に示す画面Ｍ１４３）を送信し（ステップＳＴ４１９）、携帯画面１４ａにこの画面が表示される（ステップＳＴ４２０，ＳＴ４２１）。サイト１２は予約を上記の予約電子メール３９のファイルに格納する（ステップＳＴ４２２）。利用者１３の操作による予約手続は完了する（ステップＳＴ４２３）。
【００５４】
利用者１３は引き続きアリバイフォローメールの予約を行うことができるが、ここではその説明を省略する。
【００５５】
アリバイメールはサイト１２において、計時機能の出力を監視し（ステップＳＴ４２４）、計時機能の出力と上記予約電子メールファイルに格納された予約時間が一致したことを判別し（ステップＳＴ４２５）、サイト１２は予約の内容に従って電子メールを利用者１３の携帯電話機１４のメーラ（電子メールを受信し表示するアプリケーション・プログラム）をに対して発信する（ステップＳＴ４２６）。
【００５６】
利用者１３の携帯電話機１４は、予約した時刻に予約した内容の電子メールを受信し（ステップＳＴ４２７）、携帯電話機１４の携帯画面１４ａに電子メールが表示される（ステップＳＴ４２８）。以上によりプロセスは完了する（ステップＳＴ４２９，ＳＴ４３０）。
【００５７】
次にアリバイコールが選択され、利用者１３がアリバイコールのサービスを受けるプロセスについて、図１４Ｃおよび図１４Ｄのフローチャートを用いて説明する。
【００５８】
携帯画面１４ａにアリバイコールＴＯＰ画面（図２２に示す画面Ｍ１５１）が表示され（ステップＳＴ５０１，ＳＴ５０２）、利用者１３は「新規予約作成」を選択する（ステップＳＴ５０３，ＳＴ５０４）。サイト１２はアリバイコール／新規予約作成画面（図２３に示す画面Ｍ１５２）を送信する（ステップＳＴ５０５，ＳＴ５０６）。携帯画面１４ａにアリバイコール／新規予約作成画面（Ｍ１５２）が表示され（ステップＳＴ５０７，５０８）、利用者１３は携帯画面１４ａに表示された入力項目、すなわち発信者設定、発信予約日時、を入力し（ステップＳＴ５０９）、「フレーズ選択」を選択する（ステップＳＴ５１０）。サイト１２は入力された内容を認識し（ステップＳＴ５１１）、定型フレーズ選択画面（図２３に示す画面Ｍ１５３）を送信する（ステップＳＴ５１２）。携帯画面１４ａに定型フレーズ選択画面（Ｍ１５３）が表示され（ステップＳＴ５１３，ＳＴ５１４）、この携帯画面１４ａの表示から利用者１３は予約したい定型フレーズを選択し（ステップＳＴ５１５）、「ＯＫ」を選択する（ステップＳＴ５１６）。
【００５９】
サイト１２は、選択された内容を認識し（ステップＳＴ５１７，ＳＴ５１８）、この内容を反映させたアリバイコール／内容確認画面（図２３に示す画面Ｍ１５４）を送信する（ステップＳＴ５１９）。携帯画面１４ａにアリバイコール／内容確認画面（Ｍ１５４）が表示され（ステップＳＴ５２０，ＳＴ５２１）、利用者１３は内容を確認し、間違いがなければ「ＯＫ」を選択し、間違いを認識した場合は「→戻る」を選択する（ステップＳＴ５２２，ＳＴ５２３）。「→戻る」が選択された場合、サイト１２はステップＳＴ５０６に戻りアリバイコール／新規予約作成画面（Ｍ１５２）を再送信する。「ＯＫ」が選択された場合には、サイト１２はアリバイコール／作成完了画面（図２３に示す画面Ｍ１５５）を送信し（ステップＳＴ５２４，ＳＴ５２５）、携帯画面１４ａにこの画面が表示される（ステップＳＴ５２６，ＳＴ５２７）。サイト１２は予約を予約コールファイルに格納する（ステップＳＴ５２８）。これによって予約操作は完了する（ステップＳＴ５２９）。
【００６０】
利用者１３は引き続きアリバイフォローメールの予約を行うことができるが、ここではその説明を省略する。
【００６１】
アリバイネット１１のサイト１２において、計時機能の出力を監視し（ステップＳＴ５３０）、計時機能の出力と予約コールファイルに格納された予約時間が一致したことを判別し（ステップＳＴ５３１）、サイト１２は電話通信を利用者１３に対し発信する（ステップＳＴ５３２）。
【００６２】
利用者１３の携帯電話機１４は、予約した時間にアリバイネットより電話が着信するので（ステップＳＴ５３３）、着信ボタンを押す（ステップＳＴ５３４）。サイト１２は利用者１３の携帯電話機１４の着信を確認し（ステップＳＴ５３５）、予約された内容のフレーズを送話する（ステップＳＴ５３６）。利用者１３はこのフレーズを聞くことができる（ステップＳＴ５３７）。電話回線を切断し、終了する（ステップＳＴ５３８，ＳＴ５３９）。
【００６３】
アリバイ通知サービスサイト１２はサービス項目としてその他にアリバイ着声とアリバイフォトを備えるが、これらのサービスについても、基本的な構成は前述したアリバイメールやアリバイコールと実質的に同じである。
【００６４】
図５に、アリバイ通知サービスサイト１２の構成を示す。上記の各手順を実行するアリバイ通知サービスサイト１２の各機能部分は図５に示される通りである。
【００６５】
なお本発明の予約対応自動電話発信システムは、実施の形態では携帯電話機に適用したが、キャリアのサーバを経由しない、携帯電話機同士の直接通信による電子メール機能を用いることよって達成されることに支障はない。
【産業上の利用可能性】
【００６６】
本発明は、仮想のアリバイを設定したい場面において利用者自身による設定を好適に補助し、関係者に不信感を与えることなく自然にアリバイ工作を行うのに利用できる。
【図面の簡単な説明】
【００６７】
【図１】アリバイネット通知サービスシステムと予約自動電話発信システムのシステム全体の概略を示す構成図である。
【図２】アリバイ通知サービスサイトと利用者との間の情報のやり取りと提供されるサービスの内容を示す概略図である。
【図３】アリバイ通知サービスサイトの構成を示すブロック図である。
【図４】アリバイメールのサービスシステム全体の流れを示す説明図である。
【図５】アリバイコールのサービスシステム全体の流れを示す説明図である。
【図６】アリバイ着声のサービスシステム全体の流れを示す説明図である。
【図７】アリバイフォトのサービスシステム全体の流れを示す説明図である。
【図８】アリバイメールとアリバイフォトを同時に受けるサービスシステム全体の流れを示す説明図である。
【図９】アリバイ通知サービスにより携帯電話機に表示される画面の例を示す図である。
【図１０】アリバイメールの利用シーンを示した図である。
【図１１】アリバイコールの利用シーンを示した図である。
【図１２】アリバイネットの利用シーンを示した図である。
【図１３Ａ】会員登録のプロセスの前半を示すフローチャートである。
【図１３Ｂ】会員登録のプロセスの後半を示すフローチャートである。
【図１４Ａ】アリバイネットを利用する際に行うログインのプロセスを示すフローチャートである。
【図１４Ｂ】アリバイメールのプロセスを示すフローチャートである。
【図１４Ｃ】アリバイコールのプロセスの前半を示すフローチャートである。
【図１４Ｄ】アリバイコールのプロセスの後半を示すフローチャートである。
【図１５】アリバイ通知サービスサイト１２の内部構成を示す階層ブロック構成図である。
【図１６】アリバイネットのＴＯＰ画面を示す図である。
【図１７】アリバイネットの会員登録過程において利用者の携帯電話機に表示される画面を示す図である。
【図１８】アリバイネットのログイン過程において利用者の携帯電話機に表示される画面を示す図である。
【図１９】アリバイネットのメニュー画面を示す図である。
【図２０】アリバイメールのＴＯＰ画面を示す図である。
【図２１】アリバイメールの新規予約作成の過程において利用者の携帯電話機に表示される画面を示す図である。
【図２２】アリバイコールのＴＯＰ画面を示す図である。
【図２３】アリバイコールの新規予約作成の過程において利用者の携帯電話機に表示される画面を示す図である。
【符号の説明】
【００６８】
１１      アリバイネット
１２      アリバイ通知サービスサイト
１３      利用者
１４      携帯電話機
１６      通信系
２４      アリバイ通知サービス管理サーバ
【図１】
2005284613.tif 000003
【図２】
2005284613.tif 000004
【図３】
2005284613.tif 000005
【図４】
2005284613.tif 000006
【図５】
2005284613.tif 000007
【図６】
2005284613.tif 000008
【図７】
2005284613.tif 000009
【図８】
2005284613.tif 000010
【図９】
2005284613.tif 000011
【図１０】
2005284613.tif 000012
【図１１】
2005284613.tif 000013
【図１２】
2005284613.tif 000014
【図１３Ａ】
2005284613.tif 000015
【図１３Ｂ】
2005284613.tif 000016
【図１４Ａ】
2005284613.tif 000017
【図１４Ｂ】
2005284613.tif 000018
【図１４Ｃ】
2005284613.tif 000019
【図１４Ｄ】
2005284613.tif 000020
【図１５】
2005284613.tif 000021
【図１６】
2005284613.tif 000022
【図１７】
2005284613.tif 000023
【図１８】
2005284613.tif 000024
【図１９】
2005284613.tif 000025
【図２０】
2005284613.tif 000026
【図２１】
2005284613.tif 000027
【図２２】
2005284613.tif 000028
【図２３】
2005284613.tif 000029